(57)【要約】【課題】左右幅の異なる種々の電気機器を収納するに際して、電気機器収納用箱体の内部空間に生じる無駄なスペースを減らすことができ、内部空間をより有効に利用することができる電気機器収納用箱体を提供する。【解決手段】横レール１１に、その長手方向に沿って複数の第１レール固定部１３、１３・・及び第２レール固定部１４、１４・・を設け、新たに増設する縦レール１２を固定するレール固定部を選択して使用することにより、隣り合う縦レール１２、１２間の距離、すなわち電気機器の収納スペースの左右幅を調整することができる。したがって、収納する電気機器の種別等に応じ、左右幅の異なる収納スペースを適宜形成することができ、箱体１の内部空間に生じる無駄なスペースを減らすことができる。【選択図】図２
2016220296.tif 000002
【特許請求の範囲】
【請求項１】
箱本体の背板に、左右方向へ延びる２本の横レールが配設されているとともに、上下方向へ延びる少なくとも２本の縦レールが前記横レール同士を連結するように組み付けられており、
隣り合う２本の前記縦レール間が、当該縦レール間に架設される固定金具を介して種々の電気機器を収納するための収納スペースとされた電気機器収納用箱体であって、
前記横レールの長手方向に沿って、前記縦レールを固定するためのレール固定部が複数設けられており、
隣り合う２本の前記縦レール間に位置する任意の前記レール固定部を利用して、新たな前記縦レールを増設することにより、当該増設された縦レールの左右に、左右幅の異なる少なくとも２つの前記収納スペースが形成されることを特徴とする電気機器収納用箱体。
【請求項２】
箱本体の背板に、左右方向へ延びる２本の横レールが配設されているとともに、上下方向へ延びる少なくとも２本の縦レールが前記横レール同士を連結するように組み付けられており、
隣り合う２本の前記縦レール間が、当該縦レール間に架設される固定金具を介して種々の電気機器を収納するための収納スペースとされた電気機器収納用箱体であって、
前記横レールの長手方向に沿って、前記縦レールを固定するためのレール固定部が複数設けられており、
隣り合う２本の前記縦レール間に、前記横レールと平行に補助横レールを架設するとともに、隣り合う２本の前記縦レール間に位置する前記レール固定部から前記補助横レールへ補助縦レールを配設し、前記補助縦レールと当該補助縦レールと隣り合う前記縦レールとの間を、固定金具を介して電気機器を収納するための新たな収納スペースとすることにより、前記補助横レールの上下に、左右幅の異なる少なくとも２つの前記収納スペースが形成されることを特徴とする電気機器収納用箱体。
【発明の詳細な説明】
【技術分野】
【０００１】
本発明は、たとえば分電盤として使用するキャビネット等といった電気機器収納用箱体に関するものである。
【背景技術】
【０００２】
従来、たとえば分電盤等で使用される電気機器収納用箱体としては、背板の内面側に、左右方向へ延びる一対の横レールと、横レールの左右両端部同士を夫々連結するように組み付けられる一対の縦レールとを配設し、縦レール間に架設された固定金具に電気機器を固定するように構成したものがある（たとえば特許文献１）。
【先行技術文献】
【特許文献】
【０００３】
【特許文献１】特開２０１０−６３２５４号公報
【発明の概要】
【発明が解決しようとする課題】
【０００４】
近年、電気機器収納用箱体には、従来以上に多様な電気機器が収納されるようになっている。そして、電気機器の左右幅は、当然ながら種類毎に夫々異なっている。しかしながら、従来の電気機器収納用箱体では、縦レール同士の左右間隔が一定であるため、左右幅の異なる種々の電気機器を収納しようとすると、電気機器収納用箱体の内部空間に無駄なスペースが生じやすい。すなわち、電気機器収納用箱体の内部空間の有効利用という点において課題を抱えていた。
【０００５】
そこで、本発明は、上記問題に鑑みなされたものであって、左右幅の異なる種々の電気機器を収納するに際して、電気機器収納用箱体の内部空間に生じる無駄なスペースを減らすことができ、内部空間をより有効に利用することができる電気機器収納用箱体を提供しようとするものである。
【課題を解決するための手段】
【０００６】
上記目的を達成するために、本発明のうち請求項１に記載の発明は、箱本体の背板に、左右方向へ延びる２本の横レールが配設されているとともに、上下方向へ延びる少なくとも２本の縦レールが前記横レール同士を連結するように組み付けられており、隣り合う２本の前記縦レール間が、当該縦レール間に架設される固定金具を介して種々の電気機器を収納するための収納スペースとされた電気機器収納用箱体であって、前記横レールの長手方向に沿って、前記縦レールを固定するためのレール固定部が複数設けられており、隣り合う２本の前記縦レール間に位置する任意の前記レール固定部を利用して、新たな前記縦レールを増設することにより、当該増設された縦レールの左右に、左右幅の異なる少なくとも２つの前記収納スペースが形成されることを特徴とする。
また、上記目的を達成するために、本発明のうち請求項２に記載の発明は、箱本体の背板に、左右方向へ延びる２本の横レールが配設されているとともに、上下方向へ延びる少なくとも２本の縦レールが前記横レール同士を連結するように組み付けられており、隣り合う２本の前記縦レール間が、当該縦レール間に架設される固定金具を介して種々の電気機器を収納するための収納スペースとされた電気機器収納用箱体であって、前記横レールの長手方向に沿って、前記縦レールを固定するためのレール固定部が複数設けられており、隣り合う２本の前記縦レール間に、前記横レールと平行に補助横レールを架設するとともに、隣り合う２本の前記縦レール間に位置する前記レール固定部から前記補助横レールへ補助縦レールを配設し、前記補助縦レールと当該補助縦レールと隣り合う前記縦レールとの間を、固定金具を介して電気機器を収納するための新たな収納スペースとすることにより、前記補助横レールの上下に、左右幅の異なる少なくとも２つの前記収納スペースが形成されることを特徴とする。
【発明の効果】
【０００７】
請求項１に記載の発明によれば、横レールの長手方向に沿って、縦レールを固定するためのレール固定部を複数設け、隣り合う２本の縦レール間に位置する任意のレール固定部を利用して、新たな縦レールを増設することにより、当該増設された縦レールの左右に、左右幅の異なる少なくとも２つの収納スペースを形成することができる。すなわち、収納する電気機器の種別等に応じ、左右幅の異なる収納スペースを適宜形成することができる。したがって、電気機器収納用箱体の内部空間に生じる無駄なスペースを減らすことができ、電気機器収納用箱体の内部空間を従来よりも有効利用することができる。
請求項２に記載の発明によれば、横レールの長手方向に沿って、縦レールを固定するためのレール固定部を複数設け、隣り合う２本の縦レール間に、横レールと平行に補助横レールを架設するとともに、隣り合う２本の縦レール間に位置するレール固定部から補助横レールへ補助縦レールを配設し、補助縦レールと当該補助縦レールと隣り合う縦レールとの間を、固定金具を介して電気機器を収納するための新たな収納スペースとすることにより、補助横レールの上下に、左右幅の異なる少なくとも２つの収納スペースを形成することができる。すなわち、収納する電気機器の種別等に応じ、左右幅の異なる収納スペースを適宜形成することができる。したがって、電気機器収納用箱体の内部空間に生じる無駄なスペースを減らすことができ、電気機器収納用箱体の内部空間を従来よりも有効利用することができる。
【図面の簡単な説明】
【０００８】
【図１】電気機器収納用箱体を前面側から示した説明図である。
【図２】電気機器収納用箱体の内部に電気機器を収納した様子を示した説明図である。
【図３】電気機器収納用箱体の内部における電気機器の別の収納態様を示した説明図である。
【発明を実施するための形態】
【０００９】
以下、本発明の一実施形態となる電気機器収納用箱体について、図面にもとづき詳細に説明する。
【００１０】
図１は、電気機器収納用箱体１（以下、単に箱体１と称す）を前面側から示した説明図である。図２は、箱体１の内部に電気機器を収納した様子を示した説明図である。図３は、箱体１の内部における電気機器の別の収納態様を示した説明図である。
【００１１】
箱体１は、天板、左右側板、及び背板３を有して前面に開口する箱本体２と、箱本体２の開口を開閉すべく観音開き状に取り付けられた一対の前扉４、４とを備えてなる。また、背板３の内面側には、後述する横レール１１、１１と縦レール１２、１２・・とが配設されている。そして、箱体１では、隣り合う縦レール１２、１２に固定金具５、５・・が架設されており、固定金具５、５・・の前面に各種電気機器６Ａ、６Ｂ・・を固定することによって、電気機器６Ａ、６Ｂ・・を収納可能となっている。
【００１２】
ここで、本発明の要部となる横レール１１及び縦レール１２について説明する。
横レール１１は、左右方向へ長い金属製の帯状体であって、左右両端部を含め長手方向に沿って複数の切り欠き状の第１レール固定部１３、１３・・及び長孔状の第２レール固定部１４、１４・・が設けられており、縦レール１２の端部をボルト固定可能となっている。一方、縦レール１２は、従来同様、上下方向へ長い金属製の帯状体であって、固定金具５をネジ止めするための多数の金具固定部１５、１５・・が、長手方向に沿って等間隔に設けられている。
【００１３】
そして、箱体１では、背板３の上端部及び下端部に夫々横レール１１を配設するとともに、横レール１１、１１の左右両端部同士を夫々連結するように縦レール１２、１２をボルトで固定して組み付ける。また、収納する電気機器の左右幅に応じて、左右両端の縦レール１２、１２間に位置するレール固定部のうち、適当な第１レール固定部１３や第２レール固定部１４を選択し、そのレール固定部同士を連結するように縦レール１２、１２を新たにボルトで固定して組み付ける（増設する）。すると、たとえば図２に示す態様では、右側の２本の縦レール１２、１２間に電気機器の第１の収納スペースＳ１が、左側の２本の縦レール１２、１２間に第２の収納スペースＳ２が夫々形成される。また、収納スペースＳ１の左右幅Ｌ１は、収納スペースＳ２の左右幅Ｌ２の２倍となっている。そして、各収納スペースＳ１、Ｓ２において、隣り合う２本の縦レール１２、１２の金具固定部１５、１５・・を利用して、固定金具５、５・・をネジ止めにより縦レール１２、１２間に架設し、その固定金具５に対応する電気機器６Ａ、６Ｂ・・を固定すればよい。
【００１４】
また、補助横レール１６及び補助縦レール１７を利用することで、各収納スペースの上下に夫々左右幅の異なる収納スペースを設けることができる。たとえば図３に示す態様では、収納スペースＳ１の下部において、隣り合う２本の縦レール１２、１２間に、横レール１１と平行に補助横レール１６をネジ止めして架設する。そして、収納する電気機器６Ｅ、６Ｆの左右幅に応じ、下側の横レール１１における縦レール１２、１２間に位置するレール固定部のうち、適当な第１レール固定部１３や第２レール固定部１４を選択し、そのレール固定部と補助横レール１６とを補助縦レール１７で連結する（ボルトによる固定）ことにより、補助縦レール１７と該補助縦レール１７と隣り合う縦レール１２との間（収納スペースＳ１の下側）に、収納スペースＳ１とは左右幅の異なる収納スペースＳ３、Ｓ４が形成される。そこで、縦レール１２や補助縦レール１７の金具固定部１５、１５・・を利用して、固定金具５、５を縦レール１２と補助縦レール１７との間にネジ止めして架設し、その固定金具５に対応する電気機器６Ｅ、６Ｆを固定すればよい。なお、補助横レール１６は、縦レール１２の金具固定部１５、１５を利用して縦レール１２、１２間に架設される。
【００１５】
以上のような構成を有する箱体１によれば、横レール１１に、その長手方向に沿って複数の第１レール固定部１３、１３・・及び第２レール固定部１４、１４・・を設け、新たに増設する縦レール１２を固定するレール固定部を選択して使用することにより、隣り合う縦レール１２、１２間の距離、すなわち電気機器の収納スペースの左右幅を調整することができる。したがって、収納する電気機器の種別等に応じ、左右幅の異なる収納スペースを適宜形成することができ、箱体１の内部空間に生じる無駄なスペースを減らすことができる。すなわち、箱体１の内部空間を従来よりも有効利用することができる。
【００１６】
また、縦レール１２、１２間に補助横レール１６を架け渡し、横レール１１における任意のレール固定部から補助横レール１６にかけて補助縦レール１７を組み付けることにより、補助横レール１６を挟んで箱体１内の上部と下部とで夫々左右幅の異なる収納スペースを形成することができる。したがって、箱体１の内部空間に生じる無駄なスペースを減らすことができ、箱体１の内部空間を従来よりも有効利用することができる。
【００１７】
なお、本発明に係る電気機器収納用箱体は、上記実施形態の態様に何ら限定されるものではなく、電気機器収納用箱体の全体的な構成は勿論、横レールや縦レール、補助横レール、補助縦レール等の構成についても、本発明の趣旨を逸脱しない範囲で、必要に応じて適宜変更することができる。
【００１８】
たとえば、図２に示す形態では、左右両端の縦レールの間に２本の縦レールを増設しているが、１本の縦レールのみを増設し、当該増設した縦レールと左側の縦レールとの間を第１の収納スペース、増設した縦レールと右側の縦レールとの間を第２の収納スペースとしてもよい。
また、横レールに設ける第１レール固定部や第２レール固定部の数は適宜変更可能であるし、レール固定部の形状を何れか一方のレール固定部に統一したとしても何ら問題はない。
さらに、縦レールの本数や横レールの本数については、言うまでもなく適宜設計変更することができる。
【００１９】
さらにまた、電気機器収納用箱体の内部の上側に左右幅の狭い収納スペースを、下側に左右幅の広い収納スペースを設けることは当然可能であり、どこにどのような収納スペースを設けるかは適宜設計変更可能である。
またさらに、補助横レールにも、横レール同様にレール固定部を複数設けることは当然可能である。
加えて、上記実施形態では、金具固定部を利用して補助横レールを組み付けているが、補助横レールを組み付けるための固定部を別途設けたとしても何ら問題はない。
【符号の説明】
【００２０】
１・・電気機器収納用箱体、３・・背板、５・・固定金具、６Ａ〜６Ｆ・・電気機器、１１・・横レール、１２・・縦レール、１３・・第１レール固定部（レール固定部）、１４・・第２レール固定部（レール固定部）、１５・・金具固定部、１６・・補助横レール、１７・・補助縦レール、Ｓ１〜Ｓ４・・収納スペース。
【図１】
2016220296.tif 000003
【図２】
2016220296.tif 000004
【図３】
2016220296.tif 000005